(57)【特許請求の範囲】
【請求項１】
柔軟薄型内容物を収納する薄型内容物用容器において、
取出口が設けられた上板と、
底板と、
上板と底板に連結された、前板、背板および一対の側板と、
上板に開閉自在に連結された蓋板とを備え、
蓋板は、上板に対応して設けられ、閉時において取出口を覆う第１蓋板と、第１蓋板から前板側へ延びる第２蓋板とからなり、
第２蓋板の一対の側端に、第１蓋板より側方外方へ延びる一対の突出部が形成され、この一対の突出部は閉時において、上板の対応する部分に係合自在となっていることを特徴とする薄型内容物用容器。
【請求項２】
第２蓋板に係止部が設けられ、前板に係止部に係合する係合部が設けられていることを特徴とする請求項１記載の薄型内容物用容器。
【請求項３】
前板の上縁は両側部を残して上板から降下しており、前板の両側部に上板を支持する支持部が設けられていることを特徴とする請求項１記載の薄型内容物用容器。
【発明の詳細な説明】
【０００１】
【発明の属する技術分野】
本発明は紙製タオル等の薄型内容物を収納するための薄型内容物用容器に関する。
【０００２】
【従来の技術】
一般に紙製タオルは不織布または綿からなり、一つ一つが薄型形状を有している。このような紙製タオルは多数積層されて容器内に配置される。
【０００３】
紙製タオルを取出す際、容器から一つ一つ取出口を経て取出される。
【０００４】
【発明が解決しようとする課題】
上述のように、従来の容器では紙製タオルを取出す際、紙製タオルは取出口を経て取出されるが、この取出口を容易かつ簡便に蓋板により密封することが求められている。
【０００５】
本発明はこのような点を考慮してなされたものであり、薄型内容物を取出すための取出口を蓋板により容易にかつ簡便に密封することができる薄型内容物用容器を提供することを目的とする。
【０００６】
【課題を解決するための手段】
本発明は、柔軟薄型内容物を収納する薄型内容物用容器において、取出口が設けられた上板と、底板と、上板と底板に連結された、前板、背板および一対の側板と、上板に開閉自在に連結された蓋板とを備え、蓋板は上板に対応して設けられ取出口を覆う第１蓋板と、第１蓋板から前板側へ延びる第２蓋板とからなり、第２蓋板の一対の側端に、第１蓋板より外方へ延びる一対の突出部が形成され、この一対の突出部は上板の対応する部分に係合自在となっていることを特徴とする薄型内容物用容器である。
【０００７】
本発明によれば、第１蓋板と第２蓋板とからなる蓋板を閉じ、第２蓋板の一対の突出部を上板に係合させることにより、蓋板により取出口を覆った状態でこの蓋板を容易かつ簡便に上板に固定することができる。
【０００８】
【発明の実施と形態】
以下、図面を参照して、本発明による薄型内容物用容器の実施の形態について説明する。
【０００９】
図１および図２は発明による薄型内容物用容器の一実施の形態を示す図である。
【００１０】
図１において、薄型内容物用容器１０は取出口３が設けられた上板１１と、底板１６とを備え、上板１１および底板１６に、前板１２と背板１３と、一対の側板１４，１５とが連結されている。これら上板１１、底板１６、前板１２、背板１３および側板１４，１５は後述のように、全体として紙製ブランクにより構成されている。
【００１１】
また上板１１には、取出口３を覆う蓋板１７が開閉自在に連結されている。この蓋板１７は折曲線６を介して上板１１に連結されており、取出口３を覆う第１蓋板１７ａと、第１蓋板１７ａに境界線８を介して連結され、前板１２側へ延びる第２蓋板１７ｂとからなっている。このうち第１蓋板１７ａは上板１１に対応して設けられ、また第２蓋板１７ｂは前板１２に対応して設けられている。
【００１２】
第２蓋板１７ｂの一対の側端に、第１蓋板１７ａより外方へ延びる一対の突出部４，４が形成され、この一対の突出部４，４は上板１１のうち対応する部分５，５に係合自在となっている。
【００１３】
また蓋板１７の第２蓋板１７ｂの前板１２側に延びる端縁１８はＶ字状をなし、このＶ字状端縁１８の略中央部に係止片（係止部）１９が設けられている。また前板１２には開口２０が形成され、この開口２０により係止片１９に係合する係合部２１が設けられている。
【００１４】
さらに前板１２の上縁２５は両側部を残して上板１１から降下しており、前板１２の両側部に上板１１を支持する支持部２６が設けられている。
【００１５】
次に薄型内容物２の取出作用について説明する。図１において、薄型内容物用容器１０内に紙製タオル等の薄型内容物２が積層して収納されている。上板１１の蓋板１７が折曲線６を介して上方へ持ち上げられ、取出口３が開く。薄型内容物２は上板１１の取出口３を経て外方へ取出される。
【００１６】
薄型内容物２の取出しが終了すると、蓋板１７が折曲線６を介して下方へ折曲げられ、第１蓋板１７ａが取出口３を覆って閉じる。次に第２蓋板１７ｂの一対の突出部４，４が上板１１の部分５，５に係合するとともに、第２蓋板１７ｂの係止片１９が係合部２１に係合し、このことにより蓋板１７が取出口３を確実に覆った状態で上板１１および前板１２に固定される。
【００１７】
上述のように前板１２の上縁２５は両側部を残して上板１１から降下しているので、蓋板１７の開閉作業中に前板１２の上縁２５が第１蓋板１７ａと第２蓋板１７ｂとの間の境界線８に当接してこの境界線８を傷めることはない。
【００１８】
なお、上板１１のうち、一対の突出部４，４に係合する部分５，５は前板１２側へわずかに（０．５ｍｍ程度）突出しているため、一対の突出部４，４と部分５，５とを容易に係合することができる。
【００１９】
次に図２により、薄型内容物用容器１０の製造工程について説明する。図２に示すように薄型内容物用容器１０は、紙製ブランク１０ａを組立てることにより作製される。
【００２０】
紙製ブランク１０ａは、前板１２となる前板パネル１２ａと、上板となる上板パネル１１ａと、背板１３となる背板パネル１３ａと、底板１６となる底板パネル１６ａと、前板パネル１２ａに重ね合されて前板１２を構成する前板パネル１２ｂとを有している。
【００２１】
また上板パネル１１ａおよび底板パネル１６ａには、各々側板パネル１４ａ，１５ａと、側板パネル１４ｂ，１５ｂとが連結されている。このうち側板パネル１４ａ，１４ｂは側板１４を構成し、側板パネル１５ａ，１５ｂは側板１５を構成する。
【００２２】
さらに上板パネル１１ａには、上板パネル１１ａを切断して取出口３を形成すると同時に、第１蓋板１７ａを形成するためのミシン目２２が設けられている。また前板パネル１２ａには、ミシン目２２から延び前板パネル１２ａから第２蓋板１７ｂを形成するためのミシン目２３が設けられている。
【００２３】
前板パネル１２ａのミシン目２３の先端側には、開口２７が設けられ、また前板パネル１２ｂには係合部２１を形成する開口２０が設けられている。また前板パネル１１ａのミシン目２２と折曲線６との間には、折曲線６による蓋板１７の折曲作用を容易にするためのＵ字状切刃部７が形成されている。
【００２４】
次に薄型内容物用容器の組立方法について説明する。まず紙製ブランク１０ａを背板パネル１３ａと底板パネル１６ａの間に形成された押罫線および前板パネル１２ａと上板パネル１１ａの間に形成された押罫線で折曲げることにより前板パネル１２ａ，１２ｂを重ね合わせてのり付けした後に箱状に組立てる。
【００２５】
次に箱状に組立てられたブランク１０ａ内に薄型内容物２を収納し、側板パネル１４ａ，１４ｂおよびパネル２８を重ね合せてのり付けすることにより側板１４が構成される。その後側板パネル１５ａ，１５ｂおよびパネル２９を重ね合せてのり付けすることにより側板１５が構成される。
【００２６】
次に上板パネル１１ａおよび前板パネル１２ａをミシン目２２，２３から切断することにより、上板パネル１１ａから取出口３と第１蓋板１７ａが得られる。同時に前板パネル１２ａから第２蓋板１７ｂが得られる。このようにして薄型内容物用容器１０が得られる。
【００２７】
以上のように本実施の形態によれば、第１蓋板１７ａと第２蓋板１７ｂとからなる蓋板１７を折曲線６を介して下方へ折曲げ、一対の突出部４，４を上板１１の部分５，５に係合させるとともに、係止片１９を係合部２１とを係合させることにより、蓋板１７を容易かつ確実に上板１１および前板１２に固定することができる。
【００２８】
【発明の効果】
以上のように、本発明によれば、上板の取出口を蓋板で覆った状態でこの蓋板を容易かつ簡単に固定することができる。このため、薄型内容物用容器の開閉作業を容易に行うことができる。
【図面の簡単な説明】
【図１】本発明による薄型内容部部用容器の一実施の形態を示す斜視図。
【図２】薄型内容物用容器を作製するための紙製ブランクを示す平面図。
【符号の説明】
２  薄型内容物
３  取出口
４  突出部
５  上板の部分
１０  薄型内容物用容器
１１  上板
１２  前板
１３  背板
１４，１５  側板
１６  底板
１７  蓋板
１７ａ  第１蓋板
１７ｂ  第２蓋板
１９  係止部
２１  係合部
２５  上縁
２６  支持部
【図１】
0004408498.tif 000002
【図２】
0004408498.tif 000003